(57)【要約】【課題】ばね部による荷重のかかった状態でも、係止部が外れることのないスナップフィット装置を実現する。【解決手段】支持基板部の周縁に直交して一端が接続された板状のスナップフィット本体部と、このスナップフィット本体部の他端側に設けられた係止部と、前記支持基板部に一端が接続されたばね部と、を具備し前記係止部と前記ばね部の他端との間で板状の被係止対象物を係止するスナップフィット装置において、前記係止部は、前記スナップフィット本体部に設けられ前記被係止対象物の端部に設けられた凸部が挿入係止される貫通窓を有することを特徴とするスナップフィット装置である。【選択図】図１
2010048383.tif 000002
【特許請求の範囲】
【請求項１】
支持基板部の周縁に直交して一端が接続された板状のスナップフィット本体部と、このスナップフィット本体部の他端側に設けられた係止部と、前記支持基板部に一端が接続されたばね部と、を具備し前記係止部と前記ばね部の他端との間で板状の被係止対象物を係止するスナップフィット装置において、
前記係止部は、前記スナップフィット本体部に設けられ前記被係止対象物の端部に設けられた凸部が挿入係止される貫通窓を有すること
を特徴とするスナップフィット装置。
【請求項２】
前記貫通窓が設けられている部分から前記支持基板部との接続部分までにおいて所定の一定応力が発生するように前記係止の力に対応する断面積が所定の一定断面積になるように板厚が変化されたスナップフィット本体部
を具備したことを特徴とする請求項１記載のスナップフィット装置。
【請求項３】
前記凸部が押圧する側の前記貫通窓の両側の角部を応力集中を回避できるように鈍角形状としたことを
を特徴とする請求項１又は請求項２記載のスナップフィット装置。
【請求項４】
前記貫通窓は前記凸部が接する側を頂部とする三角形状に形成されたこと
を特徴とする請求項３記載のスナップフィット装置。
【発明の詳細な説明】
【技術分野】
【０００１】
本発明は、スナップフィット装置に関するものである。
【背景技術】
【０００２】
スナップフィット装置に関連する先行技術文献としては次のようなものがある。
【０００３】
【特許文献１】特開２００２−１０６５３３号公報
【０００４】
図４は従来より一般に使用されている従来例の要部構成説明図で、（ａ）は正面図、（ｂ）は側面図、（ｃ）は平面図である。
図において、スナップフィット本体部２は、支持基板部１の周縁に直交して一端が接続され、板状をなす。この場合は、樹脂材よりなる。
係止部３は、スナップフィット本体部２の他端側に設けられている。
【０００５】
ばね部４は、支持基板部１に一端が接続されている。
そして、被係止対象物Ａは、係止部３とばね部４の他端との間で係止され、板状をなしている。
この場合は、被係止対象物Ａは、プリント板が使用されている。
【発明の開示】
【発明が解決しようとする課題】
【０００６】
このような装置においては、以下の間題点がある。
ばね部４による荷重により、図４に示す如く、係止部３に曲げ方向の応力Ｆ１が発生する。
時間経過に従いクリープが起こり、係止部３が外れて、被係止対象物Ａの組付けが解除されてしまう。
【０００７】
本発明の目的は、上記の課題を解決するもので、常時、ばね部４による荷重のかかった状態でも、係止部３が外れることのないスナップフィット装置を提供することにある。
【課題を解決するための手段】
【０００８】
このような課題を達成するために、本発明では、請求項１のスナップフィット装置においては、
支持基板部の周縁に直交して一端が接続された板状のスナップフィット本体部と、このスナップフィット本体部の他端側に設けられた係止部と、前記支持基板部に一端が接続されたばね部と、を具備し前記係止部と前記ばね部の他端との間で板状の被係止対象物を係止するスナップフィット装置において、前記係止部は、前記スナップフィット本体部に設けられ前記被係止対象物の端部に設けられた凸部が挿入係止される貫通窓を有することを特徴とする。
【０００９】
本発明の請求項２のスナップフィット装置においては、請求項１記載のスナップフィット装置において、
前記貫通窓が設けられている部分から前記支持基板部との接続部分までにおいて所定の一定応力が発生するように前記係止の力に対応する断面積が所定の一定断面積になるように板厚が変化されたスナップフィット本体部を具備したことを特徴とする。
【００１０】
本発明の請求項３のスナップフィット装置においては、請求項１又は請求項２記載のスナップフィット装置において、
前記凸部が押圧する側の前記貫通窓の両側の角部を応力集中を回避できるように鈍角形状としたことを特徴とする。
【００１１】
本発明の請求項４のスナップフィット装置においては、請求項３記載のスナップフィット装置において、
前記貫通窓は前記凸部が接する側を頂部とする三角形状に形成されたことを特徴とする。
【発明の効果】
【００１２】
本発明の請求項１によれば、次のような効果がある。
ばね部品から受ける荷重は、被係止対象物を介し、スナップフィット本体部の貫通窓に印加される。スナップフィット本体部には引張応力のみが発生し、曲げ応力は発生せず、曲げ方向の変形は起こらないため、スナップフィット本体部が被係止対象物から組立て後に時間が経過して後、外れることが防止でき、信頼性が向上されたスナップフィット装置が得られる。
スナップフィット状態保持のためのねじ止めや、スナップフィットの変形を抑制する別部品等がいらないので、コストダウンでき、安価なスナップフィット装置が得られる。
【００１３】
本発明の請求項２によれば、次のような効果がある。
貫通窓が設けられている部分において、所定の一定応力が発生するように、係止の力に対応する断面積が、所定の一定断面積になるように板厚が変化されたスナップフィット本体部が設けられたので、スナップフィット装置の組付け時のたわみによる発生応力は小さく、組付け後の静的応力はスナップフィット各断面で一定な構造が実現でき、更に、信頼性が向上されたスナップフィット装置が得られる。
【００１４】
本発明の請求項３によれば、次のような効果がある。
被係止対象物の凸部が押圧する側の貫通窓の両側の角部を、応力集中を回避できるように鈍角形状としたので、貫通窓の角部の応力集中を回避でき、応力を分散して、角部の割れに対する耐久性を高めることができ、耐久性が向上されたスナップフィット装置が得られる。
【００１５】
本発明の請求項４によれば、次のような効果がある。
貫通窓は、被係止対象物の凸部が接する側を頂部とする三角形状に形成されたので、スナップフィット本体部の板面が含まれる面方向の力に対して強いスナップフィット装置が得られる。
【発明を実施するための最良の形態】
【００１６】
以下本発明を図面を用いて詳細に説明する。
図１は本発明の一実施例の要部構成説明図で、（ａ）は正面図、（ｂ）は側面図、（ｃ）は平面図である。
図１において、図４と同一記号の構成は同一機能を表す。
以下、図４との相違部分のみ説明する。
【００１７】
図１において、係止部１２は、スナップフィット本体部１１に設けられ被係止対象物Ａの端部に設けられた凸部Ａ１が挿入係止される貫通窓１３を有する。
【００１８】
この結果、
ばね部４から受ける荷重は、被係止対象物Ａを介し、スナップフィット本体部２の貫通窓１２に印加される。スナップフィット本体部２には引張応力のみが発生し、曲げ応力は発生せず、曲げ方向の変形は起こらないため、スナップフィット本体部２が被係止対象物Ａから外れることが防止でき、信頼性が向上されたスナップフィット装置が得られる。
スナップフィット状態保持のためのねじ止めや、スナップフィットの変形を抑制する別部品等がいらないので、コストダウンでき、安価なスナップフィット装置が得られる。
【００１９】
図２は、本発明の他の実施例の要部構成説明図で、（ａ）は正面図、（ｂ）は側面図、（ｃ）は平面図である。
図２において、図４と同一記号の構成は同一機能を表す。
以下、図４との相違部分のみ説明する。
【００２０】
図２において、スナップフィット本体部２１は、貫通窓２２が設けられている部分から支持基板部１との接続部分までにおいて、所定の一定応力が発生するように、係止の力に対応する断面積が所定の一定断面積になるように板厚が変化されている。
具体的には、スナップフィット本体部２１の根元部は細く幅広、頭部は厚く幅が狭い形状で、Ａ―Ａ断面での断面積は一定である。
【００２１】
この結果、
貫通窓２２が設けられている部分において、所定の一定応力が発生するように、係止の力に対応する断面積が、所定の一定断面積になるように板厚が変化されたスナップフィット本体部２１が設けられたので、スナップフィット装置の組付け時のたわみによる発生応力は小さく、組付け後の静的応力はスナップフィット各断面で一定な構造が実現でき、更に、信頼性が向上されたスナップフィット装置が得られる。
【００２２】
図３は、本発明の他の実施例の要部構成説明図で、（ａ）は正面図、（ｂ）は側面図、（ｃ）は平面図である。
図３において、図４と同一記号の構成は同一機能を表す。
以下、図４との相違部分のみ説明する。
【００２３】
図３において、被係止対象物Ａの凸部Ａ１が押圧する側の、スナップフィット本体部３１の貫通窓３２の両側の角部３３を、応力集中を回避できるように鈍角形状とされている。
この場合は、貫通窓３２は凸部Ａ１が接する側を頂部とする三角形状に形成されている。
【００２４】
この結果、
被係止対象物Ａの凸部Ａ１が押圧する側の貫通窓３２の両側の角部３３を、応力集中を回避できるように鈍角形状としたので、貫通窓３２の角部３３の応力集中を回避でき、応力を分散して、角部３３の割れに対する耐久性を高めることができ、耐久性が向上されたスナップフィット装置が得られる。
【００２５】
貫通窓３２は、被係止対象物Ａの凸部Ａ１が接する側を頂部とする三角形状に形成されたので、スナップフィット本体部３１の板面が含まれる面方向の力に対して強いスナップフィット装置が得られる。
【００２６】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００２７】
【図１】本発明の一実施例の要部構成説明図である。
【図２】本発明の他の実施例の要部構成説明図である。
【図３】本発明の他の実施例の要部構成説明図である。
【図４】従来より一般に使用されている従来例の構成説明図である。
【符号の説明】
【００２８】
１      支持基板部
２      スナップフィット本体部
３      係止部
４      ばね部
Ａ      被係止対象物
Ｆ１    応力
１１    スナップフィット本体部
１２    係止部
Ａ１    凸部
１３    貫通窓
２１    スナップフィット本体部
２２    貫通窓
３１    スナップフィット本体部
３２    貫通窓
３３    角部
【図１】
2010048383.tif 000003
【図２】
2010048383.tif 000004
【図３】
2010048383.tif 000005
【図４】
2010048383.tif 000006